(57)【要約】【課題】小型であり、かつ良好な光学性能を確保できる広角レンズを提供すること。【解決手段】広角レンズ１０は、物体側から順に、前群Ｇ１、開口絞りＳＴ、及び正の後群Ｇ２からなる６枚構成であって、下記条件式（１）を満たす。|ｆ／ｆ１|＜０．０２８    …    （１）ここで、値ｆ１は、前群Ｇ１の焦点距離であり、値ｆは、全系の焦点距離である。【選択図】図１
2019168491.tif 000002
【特許請求の範囲】
【請求項１】
物体側から順に、前群、絞り、及び正の後群からなる６枚構成の広角レンズであって、
下記条件式を満たすことを特徴とする広角レンズ。
|ｆ／ｆ１|＜０．０２８    …    （１）
ｆ１：前記前群の焦点距離
ｆ：全系の焦点距離
【請求項２】
最も物体側に配置されるレンズと、前記絞りの直後に配置されるレンズとが、ガラスレンズであることを特徴とする請求項１に記載の広角レンズ。
【請求項３】
下記条件式を満たすことを特徴とする請求項１及び２のいずれか一項に記載の広角レンズ。
Ｎｄ１＞１．８０    …    （２）
Ｎｄ１：最も物体側のレンズの屈折率
【請求項４】
最も物体側に配置されるレンズと、前記絞りの直後に配置されるレンズとのみが、球面レンズであることを特徴とする請求項２に記載の広角レンズ。
【請求項５】
最も像側に、物体側からの順で両凹レンズと両凸レンズとからなる接合レンズを配置したことを特徴とする請求項１〜４のいずれか一項に記載の広角レンズ。
【請求項６】
下記条件式を満たすことを特徴とする請求項１〜５のいずれか一項に記載の広角レンズ。
|ｆ２／ｆ１|＜０．１    …    （３）
ｆ１：前記前群の焦点距離
ｆ２：前記後群の焦点距離
【請求項７】
請求項１〜６のいずれか一項に記載の広角レンズと、前記広角レンズを保持する鏡胴とを備えることを特徴とするレンズユニット。
【請求項８】
請求項１〜６のいずれか一項に記載の広角レンズと、前記広角レンズによって得られる像を検出する撮像素子とを備えることを特徴とする撮像装置。
【発明の詳細な説明】
【技術分野】
【０００１】
本発明は、前群、絞り、及び正の後群からなる６枚構成の広角レンズ、並びにこれを備えるレンズユニット及び撮像装置に関する。
【背景技術】
【０００２】
近年、車載用カメラや監視カメラは、さらなる広角化、小型化、及び低コスト化を要望されている。また、以上の要望に加えて、軸上から軸外まで高い光学性能を達成し、厳しい環境下においても高性能を維持するレンズが求められている。
【０００３】
特許文献１に記載の光学系は、物体側から順に、前群、絞り、及び正の後群から構成されることにより、小型化及び広角化を達成している。しかしながら、特許文献１の光学系は、前群のパワーが大き過ぎるために、像面湾曲、倍率色収差を大きく発生させ、十分に高い光学性能を達成できていない。
【０００４】
なお、特許文献１では、絞り直後に非球面ガラスレンズを用いる光学系と、６枚すべてがプラスチックレンズからなる光学系とが提案されている。前者のように非球面ガラスを用いると大幅なコストアップの要因となり、低コスト化を達成できていない。また、後者のように６枚すべてがプラスチックレンズからなる光学系の場合、プラスチックはガラスに比べて温度変化による屈折率変化が大きいために十分な耐候性が確保できず、厳しい環境下ではさらに光学性能を低下させてしまっている。
【先行技術文献】
【特許文献】
【０００５】
【特許文献１】特開２０１６−５７５６２号公報
【発明の概要】
【０００６】
本発明は、小型であり、かつ良好な光学性能を確保できる広角レンズを提供することを目的とする。
【０００７】
また、本発明は、上記広角レンズを備えたレンズユニット及び撮像装置を提供することを目的とする。
【０００８】
上記目的を達成するため、本発明に係る広角レンズは、物体側から順に、前群、絞り、及び正の後群からなる６枚構成の広角レンズであって、下記条件式を満たす。
|ｆ／ｆ１|＜０．０２８    …    （１）
ここで、値ｆ１は、前群の焦点距離であり、値ｆは、全系の焦点距離である。前群は、例えば第１レンズ、第２レンズ、及び第３レンズで構成され、この場合、後群は、第４レンズ、第５レンズ、及び第６レンズで構成される。本発明は、上記に限らず、６枚のレンズを前群と後群とに配分する枚数を変更することができる。
【０００９】
上記広角レンズでは、物体側から順に、前群（例えば第１レンズ、第２レンズ、第３レンズ）、絞り、及び正の後群（例えば第４レンズ、第５レンズ、第６レンズ）から構成されるレンズ配置を採用しており、前玉径を小径化しながらも広角化を達成することができる。また、条件式（１）は、前群の焦点距離に対する全系の焦点距離の比を規定しており、前群のパワーが小さいことが本発明の特徴である。値ｆ１／ｆが条件式（１）を満たすことにより、前群のパワーが大きくなり過ぎず、像面湾曲、コマ収差、倍率色収差を抑制し、軸上から周辺まで高い光学性能を達成することができる。また、前群のパワーが大きくなり過ぎないことにより、レンズ組み付け時の偏芯誤差による収差変動を抑制することができる。条件式（１）については、下記範囲
|ｆ／ｆ１|＜０．０２５    …    （１）’
とすることがより望ましい。
【００１０】
本発明の具体的な１つの側面では、最も物体側に配置されるレンズと、絞りの直後に配置されるレンズとが、ガラスレンズである。車載用カメラや監視用カメラについては、厳しい環境下でも性能劣化が小さく、広い温度範囲で使用可能なレンズが求められる。最も物体側に配置されるレンズは、軸外光線がレンズの高い位置を通過しており、軸外性能への影響が大きい。また、絞り直後に配置されるレンズを通過する軸上光線及び軸外光線は、ともに太く、軸上及び軸外性能への影響が大きい。これらのレンズをガラスにすることにより、ガラスはプラスチックよりも温度変化による屈折率変化が小さいため、温度変化による球面収差と像面湾曲変動とを抑制し、厳しい環境下においても軸上から周辺まで高い光学性能を達成することができる。さらに、直接外気に触れる最も物体側のレンズにガラスのように傷つきにくい材料を使用することにより、傷つきによる光学性能の劣化を防止することができる。
【００１１】
本発明の別の側面では、下記条件式を満たす。
Ｎｄ１＞１．８０    …    （２）
ここで、値Ｎｄ１は、最も物体側のレンズの屈折率である。条件式（２）は、最も物体側に配置されるレンズの屈折率の適正な範囲を規定している。最も物体側のレンズの屈折率Ｎｄ１が条件式（２）を満たすことにより、このレンズで発生する非点収差を抑制することができる。上記のように最も物体側のレンズが光学系全体での軸外性能へ与える影響は大きく、この条件式（２）を満たすことにより、高像高までの像面性を良好に補正し、高い光学性能を達成することができる。
条件式（２）については、下記範囲
Ｎｄ１＞１．８３    …    （２）’
とすることがより望ましい。
【００１２】
本発明のさらに別の側面では、最も物体側に配置されるレンズと、絞りの直後に配置されるレンズとのみが、球面レンズである。最も物体側と絞り直後に配置されるレンズはガラスであることが望ましいが、非球面ガラスレンズを採用すると大幅なコストアップの要因となってしまう。そこで本発明では、これら２枚のレンズとして球面ガラスレンズを使用し、コストダウンを実現しながらも、両群のパワーの設定により軸上から軸外まで高い光学性能を達成している。なお、温度変化時の性能変動への影響が大きいこれら２枚のレンズを除いた残りの４枚のレンズについてはすべて非球面レンズを採用することとなり、コマ収差の発生を抑制し軸上から周辺まで描写性能に優れた光学系を実現している。
【００１３】
本発明のさらに別の側面では、最も像側に、物体側からの順で両凹レンズと両凸レンズとからなる接合レンズを配置している。物体側から順に両凹レンズと両凸レンズとからなる接合レンズを最も像側に配置することにより、色収差の発生を抑制することができる。最も像側に配置されるレンズでは通過する軸上光線及び軸外光線がともに太く、軸上及び軸外性能への影響が大きい。このようなレンズを物体側から順に両凹レンズと両凸レンズとからなる接合レンズとすることで、各々のレンズで発生する軸上色収差及び倍率色収差を打ち消しあい、光学系全体で良好に色収差を抑制することができる。
【００１４】
本発明のさらに別の側面では、下記条件式を満たす。
|ｆ２／ｆ１|＜０．１    …    （３）
ここで、値ｆ１は、前群の焦点距離であり、値ｆ２は、後群の焦点距離である。条件式（３）は、前群の焦点距離に対する後群の焦点距離の比の好ましい範囲を規定している。値｜ｆ２／ｆ１｜が条件式（３）を満たすことにより、前群と後群とのパワー配置を適切にし、それぞれの群のパワーが大きくなり過ぎず、光学系全体で発生する収差を良好に抑制し、高い光学性能を達成できる。条件式（３）については、下記範囲
|ｆ２／ｆ１|＜０．０８    …    （３）’
とすることがより望ましい。
【００１５】
上記目的を達成するため、本発明に係るレンズユニットは、上述の広角レンズと、広角レンズを保持する鏡胴とを備える。
【００１６】
上記目的を達成するため、本発明に係る撮像装置は、上述の広角レンズと、広角レンズよって得られる像を検出する撮像素子とを備える。
【００１７】
上記撮像装置によれば、上述の広角レンズを備えることにより、良好な光学性能を実現しながらも、低コストで高い耐候性を達成できる。
【図面の簡単な説明】
【００１８】
【図１】本発明の一実施形態の広角レンズを備えるレンズユニット及び撮像装置を説明する図である。
【図２】（Ａ）は、実施例１の広角レンズ等の断面図であり、（Ｂ）〜（Ｄ）は、収差図である。
【図３】（Ａ）は、実施例２の広角レンズ等の断面図であり、（Ｂ）〜（Ｄ）は、収差図である。
【図４】（Ａ）は、実施例３の広角レンズ等の断面図であり、（Ｂ）〜（Ｄ）は、収差図である。
【図５】（Ａ）は、実施例４の広角レンズ等の断面図であり、（Ｂ）〜（Ｄ）は、収差図である。
【図６】（Ａ）は、実施例５の広角レンズ等の断面図であり、（Ｂ）〜（Ｄ）は、収差図である。
【図７】（Ａ）は、実施例６の広角レンズ等の断面図であり、（Ｂ）〜（Ｄ）は、収差図である。
【発明を実施するための形態】
【００１９】
図１は、本発明の一実施形態である撮像装置１００を説明する断面図である。撮像装置１００は、画像信号を形成するカメラモジュール３０と、カメラモジュール３０を動作させることにより撮像装置１００としての機能を発揮させる処理部６０とを備える。
【００２０】
カメラモジュール３０は、広角レンズ１０を内蔵するレンズユニット４０と、広角レンズ１０によって形成された被写体像を画像信号に変換するセンサー部５０とを備える。
【００２１】
レンズユニット４０は、撮像光学系である広角レンズ１０と、広角レンズ１０を組み込んだ鏡胴４１とを備える。広角レンズ１０は、第１〜第６レンズＬ１〜Ｌ６で構成されている。鏡胴４１は、樹脂、金属、樹脂にグラスファイバーを混合したもの等で形成され、レンズ等を内部に収納し保持している。鏡胴４１を例えば樹脂にグラスファイバーを混合したもので形成する場合、樹脂よりも熱膨張しにくく、広角レンズ１０を安定して固定することができる。鏡胴４１は、物体側からの光を入射させる開口ＯＰを有する。
【００２２】
広角レンズ１０の全画角は、２００°以上である。広角レンズ１０を構成する第１〜第６レンズＬ１〜Ｌ６は、それらのフランジ部若しくは外周部において鏡胴４１の内面側に直接的又は間接的に保持されており、光軸ＡＸ方向及び光軸ＡＸに垂直な方向に関しての位置決めがなされている。鏡胴４１は、開口絞り（絞り）ＳＴやフィルターＦ１といったレンズＬ１〜Ｌ６以外の光学要素も支持している。
【００２３】
センサー部５０は、広角レンズ１０によって形成された被写体像を光電変換する固体撮像素子（撮像素子）５１と、この固体撮像素子５１を支持する基板５２と、基板５２を介して固体撮像素子５１を保持するセンサーホルダー５３とを備える。固体撮像素子５１は、例えばＣＭＯＳ型のイメージセンサーである。基板５２は、固体撮像素子５１を動作させるための配線、周辺回路等を備える。センサーホルダー５３は、樹脂その他の材料で形成され、固体撮像素子５１を光軸ＡＸに対して位置決めする。レンズユニット４０の鏡胴４１はセンサーホルダー５３に嵌合するように位置決めされた状態で固定されている。
【００２４】
固体撮像素子５１は、撮像面Ｉとしての光電変換部５１ａを有し、その周辺には、不図示の信号処理回路が形成されている。光電変換部５１ａには、画素つまり光電変換素子が２次元的に配置されている。なお、固体撮像素子５１は、上述のＣＭＯＳ型のイメージセンサーに限るものでなく、ＣＣＤ等の他の撮像素子を組み込んだものであってもよい。
【００２５】
レンズユニット４０を構成するレンズ間、又はレンズユニット４０とセンサー部５０との間には、フィルター等を配置することができる。図１の例では、フィルターＦ１は、広角レンズ１０の第６レンズＬ６と固体撮像素子５１との間に配置されている。フィルターＦ１は、光学的ローパスフィルター、ＩＲカットフィルター、固体撮像素子５１のシールガラス等を想定した平行平板である。フィルターＦ１は、別体のフィルター部材として配置することもできるが、別体として配置せず、広角レンズ１０を構成するいずれかのレンズ面にその機能を付与することができる。例えば、赤外カットフィルターの場合、赤外カットコートを１枚又は複数枚のレンズの表面上に施してもよい。
【００２６】
処理部６０は、素子駆動部６１と、入力部６２と、記憶部６３と、表示部６４と、制御部６８とを備える。素子駆動部６１は、固体撮像素子５１に付随する回路等に制御信号を出力することで固体撮像素子５１を動作させる。素子駆動部６１は、制御部６８から固体撮像素子５１を駆動するための電圧やクロック信号の供給を受けたり、固体撮像素子５１の出力信号に対応するＹＵＶその他のデジタル画素信号を外部回路に出力したりすることもできる。入力部６２は、ユーザーの操作を受け付ける部分であり、記憶部６３は、撮像装置１００の動作に必要な情報、カメラモジュール３０によって取得した画像データ等を保管する部分であり、表示部６４は、ユーザーに提示すべき情報、撮影した画像等を表示する部分である。制御部６８は、素子駆動部６１、入力部６２、記憶部６３等の動作を統括的に制御しており、例えばカメラモジュール３０によって得た画像データに対して種々の画像処理を行うことができる。
【００２７】
なお、詳細な説明を省略するが、処理部６０の具体的な機能は、本撮像装置１００が組み込まれる機器の用途に応じて適宜調整される。撮像装置１００は、車載カメラ、監視カメラ等の各種用途の装置に搭載可能である。
【００２８】
以下、図１を参照して、第１実施形態の広角レンズ（撮像光学系）１０等について説明する。なお、図１で例示した広角レンズ１０は、後述する実施例１の広角レンズ１０Ａと略同一の構成となっている。
【００２９】
図示の広角レンズ１０は、物体側から順に、前群Ｇ１と、開口絞りＳＴと、正の後群Ｇ２とからなる６枚構成の広角レンズである。具体的には、広角レンズ１０は、物体側より順に、負のパワーを有する第１レンズＬ１と、負のパワーを有する第２レンズＬ２と、正のパワーを有する第３レンズＬ３と、開口絞りＳＴと、正のパワーを有する第４レンズＬ４と、負のパワーを有する第５レンズＬ５と、正のパワーを有する第６レンズＬ６とからなる。最も像側には接合レンズＣＬが配置されている。接合レンズＣＬは、物体側からの順で、両凹レンズである第５レンズＬ５と、両凸レンズである第６レンズＬ６とからなり、これらを接合したものである。
【００３０】
この広角レンズ１０では、物体側からの順で、前群Ｇ１、開口絞りＳＴ、及び正の後群Ｇ２から構成されるレンズ配置を採用しており、前玉径を小径化しながらも広角化を達成することができる。
【００３１】
この広角レンズ１０では、最も物体側に配置される第１レンズＬ１と、開口絞りＳＴの直後に配置される第４レンズＬ４とが、ガラスレンズである。車載用カメラや監視用カメラについては、厳しい環境下でも性能劣化が小さく、広い温度範囲で使用可能なレンズが求められる。最も物体側に配置される第１レンズＬ１は、軸外光線がレンズの高い位置を通過しており、軸外性能への影響が大きい。また、開口絞りＳＴ直後に配置される第４レンズＬ４を通過する軸上光線及び軸外光線は、ともに太く、軸上及び軸外性能への影響が大きい。これらのレンズＬ１，Ｌ４をガラスにすることにより、ガラスはプラスチックよりも温度変化による屈折率変化が小さいため、温度変化による球面収差と像面湾曲変動とを抑制し、厳しい環境下においても軸上から周辺まで高い光学性能を達成することができる。さらに、直接外気に触れる最も物体側の第１レンズＬ１にガラスのように傷つきにくい材料を使用することにより、傷つきによる光学性能の劣化を防止することができる。
【００３２】
この広角レンズ１０では、最も物体側に配置される第１レンズＬ１と、開口絞りＳＴの直後に配置される第４レンズＬ４とのみが、球面レンズである。最も物体側に配置される第１レンズＬ１と、開口絞りＳＴの直後に配置される第４レンズＬ４とは、ガラスであることが望ましいが、非球面ガラスレンズを採用すると大幅なコストアップの要因となってしまう。そこで、これら２枚の第１及び第４レンズＬ１，Ｌ４として球面ガラスレンズを使用し、コストダウンを実現しながらも、両群Ｇ１，Ｇ２のパワーの設定により軸上から軸外まで高い光学性能を達成している。なお、温度変化時の性能変動への影響が大きい第１及び第４レンズＬ１，Ｌ４を除いた残りの第２、第３、第５、及び第６レンズＬ２，Ｌ３，Ｌ５，Ｌ６についてはすべて非球面レンズを採用することとなる。これにより、コマ収差の発生を抑制し、軸上から周辺まで描写性能に優れた光学系を実現することができる。また、非球面レンズの材料として、プラスチックレンズを採用すれば、コストダウンを図ることができる。
【００３３】
この広角レンズ１０では、最も像側に、物体側からの順で両凹レンズである第５レンズＬ５と、両凸レンズである第６レンズＬ６とからなる接合レンズＣＬを配置している。このような接合レンズＣＬを最も像側に配置することにより、色収差の発生を抑制することができる。最も像側に配置されるレンズでは通過する軸上光線及び軸外光線がともに太く、軸上及び軸外性能への影響が大きい。このようなレンズを物体側からの順で両凹の第５レンズＬ５と、両凸の第６レンズＬ６とからなる接合レンズＣＬとすることで、各々のレンズＬ５，Ｌ６で発生する軸上色収差及び倍率色収差を打ち消しあい、光学系全体で良好に色収差を抑制することができる。
【００３４】
広角レンズ１０は、以下の条件式（１）を満たす。
|ｆ／ｆ１|＜０．０２８    …    （１）
ここで、値ｆ１は、前群Ｇ１の焦点距離であり、値ｆは、全系の焦点距離である。
【００３５】
条件式（１）は、前群Ｇ１の焦点距離に対する全系の焦点距離の比を規定しており、前群Ｇ１のパワーが小さいことが本広角レンズ１０の特徴である。値｜ｆ／ｆ１｜が条件式（１）を満たすことにより、前群のＧ１パワーが大きくなり過ぎず、像面湾曲、コマ収差、倍率色収差を抑制し、軸上から周辺まで高い光学性能を達成することができる。また、前群Ｇ１のパワーが大きくなり過ぎないことにより、レンズ組み付け時の偏芯誤差による収差変動を抑制することができる。条件式（１）については、下記範囲
|ｆ／ｆ１|＜０．０２５    …    （１）’
とすることがより望ましい。
【００３６】
広角レンズ１０は、以下の条件式（２）を満たす。
Ｎｄ１＞１．８０    …    （２）
ここで、値Ｎｄ１は、最も物体側の第１レンズＬ１の屈折率である。条件式（２）は、最も物体側に配置される第１レンズＬ１の屈折率の適正な範囲を規定している。最も物体側のレンズの屈折率Ｎｄ１が条件式（２）を満たすことにより、この第１レンズＬ１で発生する非点収差を抑制することができる。上記のように最も物体側の第１レンズＬ１が光学系全体での軸外性能へ与える影響は大きく、この条件式（２）を満たすことにより、高像高までの像面性を良好に補正し、高い光学性能を達成することができる。条件式（２）については、下記範囲
Ｎｄ１＞１．８３    …    （２）’
とすることがより望ましい。
【００３７】
広角レンズ１０は、以下の条件式（３）を満たす。
|ｆ２／ｆ１|＜０．１    …    （３）
ここで、値ｆ１は、前群Ｇ１の焦点距離であり、値ｆ２は、後群Ｇ２の焦点距離である。条件式（３）は、前群Ｇ１の焦点距離に対する後群Ｇ２の焦点距離の比を規定している。値｜ｆ２／ｆ１｜が条件式（３）を満たすことにより、前群Ｇ１と後群Ｇ２とのパワー配置を適切にし、それぞれの群Ｇ１，Ｇ２のパワーが大きくなり過ぎず、光学系全体で発生する収差を良好に抑制し、高い光学性能を達成できる。条件式（３）については、下記範囲
|ｆ２／ｆ１|＜０．０８    …    （３）’
とすることがより望ましい。
【００３８】
なお、広角レンズ１０は、実質的にパワーを持たないレンズその他の光学素子（例えばレンズ、フィルター部材等）をさらに有するものであってもよい。
〔実施例〕
以下、本発明の広角レンズ等の実施例を示す。各実施例に使用する記号は下記の通りである。
ｆ    ：全系の焦点距離
２ω  ：最大全画角
ＴＬ  ：光学全長
Ｆｎｏ：Ｆナンバー
Ｒ    ：曲率半径
Ｄ    ：軸上面間隔
Ｎｄ  ：レンズ材料のｄ線に対する屈折率
ｖｄ  ：レンズ材料のアッベ数
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【数１】
2019168491.tif 000003
ただし、
Ａｉ：ｉ次の非球面係数
Ｒ  ：曲率半径
Ｋ  ：円錐定数
【００３９】
（実施例１）
実施例１の広角レンズの全体諸元を以下に示す。
f=0.97mm
2ω=220°
TL=12.60mm
Fno=2.00
【００４０】
実施例１の広角レンズのレンズ面のデータを以下の表１に示す。なお、以下の表１等において、面番号を「Surf. N」で表し、開口絞りを「ＳＴ」で表し、無限大を「ＩＮＦ」で表している。
〔表１〕
Surf. N    R(mm)      D(mm)    Nd         vd
1      12.810      1.028    1.8348     42.72
2       3.824      1.523
*3      10.412      0.628    1.5459     56.16
*4       1.591      1.922
*5      -2.539      1.361    1.6346     23.87
*6      -1.911      0.305
7ST      INF       0.130
8       7.579      1.267    1.7292     54.67
9      -2.570      0.369
*10      -4.805      0.500    1.5459     56.16
*11       1.423      0.015    1.5140     42.83
*12       1.423      1.952    1.6346     23.87
*13      -1.910      0.854
14        INF       0.200    1.5168     64.19
15        INF       0.447
16        INF       0.000
【００４１】
実施例１のレンズ面の非球面係数を以下の表２に示す。なお、これ以降（表のレンズデータを含む）において、１０のべき乗数（たとえば２．５×１０−０２）をＥ（たとえば２．５Ｅ−０２）を用いて表すものとする。
〔表２〕
第3面
K=8.2528E+00, A4=4.6306E-03, A6=-6.1485E-05, 
A8=-2.0866E-05, A10=-2.2643E-06, A12=3.9267E-07, 
A14=4.6273E-08, A16=-1.1416E-08, A18=4.7261E-10
第4面
K=-1.5119E+00, A4=3.4228E-02, A6=4.2339E-02, 
A8=-7.4535E-02, A10=8.6116E-02, A12=-5.3555E-02, 
A14=1.7453E-02, A16=-2.2848E-03, A18=0.0000E+00
第5面
K=1.5715E+00, A4=-3.9754E-02, A6=4.9645E-02, 
A8=2.1925E-04, A10=-2.1779E-01, A12=4.6789E-01, 
A14=-4.4376E-01, A16=2.0427E-01, A18=-3.6955E-02
第6面
K=5.0401E-01, A4=3.6480E-02, A6=-3.0284E-02, 
A8=9.5293E-02, A10=-1.2801E-01, A12=1.0077E-01, 
A14=-4.2412E-02, A16=7.6856E-03, A18=0.0000E+00
第10面
K=-3.7420E+01, A4=1.6710E-02, A6=-1.2965E-01, 
A8=1.9349E-01, A10=-1.8823E-01, A12=1.3255E-01, 
A14=-7.1428E-02, A16=2.0472E-02, A18=0.0000E+00
第11面
K=-8.6718E-01, A4=4.7997E-01, A6=-6.2814E-01, 
A8=4.1866E-01, A10=-1.3465E-01, A12=8.2899E-03, 
A14=2.4207E-03, A16=0.0000E+00, A18=0.0000E+00
第12面
K=-8.6718E-01, A4=4.7997E-01, A6=-6.2814E-01, 
A8=4.1866E-01, A10=-1.3465E-01, A12=8.2899E-03, 
A14=2.4207E-03, A16=0.0000E+00, A18=0.0000E+00
第13面
K=-2.9097E+00, A4=1.9240E-02, A6=-1.3714E-01, 
A8=2.6051E-01, A10=-2.6638E-01, A12=1.5359E-01, 
A14=-4.6685E-02, A16=5.8385E-03, A18=0.0000E+00
【００４２】
実施例１のレンズ群焦点距離を以下の表３に示す。
〔表３〕
前群    -35.396mm
後群      2.956mm
【００４３】
図２（Ａ）は、実施例１の広角レンズ１０Ａ等の断面図である。広角レンズ１０Ａは、負のパワーを有し物体側に凸のメニスカスタイプの第１レンズＬ１と、負のパワーを有し像側に凹のメニスカスタイプの第２レンズＬ２と、正のパワーを有し像側に凸のメニスカスタイプの第３レンズＬ３と、両凸の第４レンズＬ４と、両凹の第５レンズＬ５と、両凸の第６レンズＬ６とを備える。第１〜第３レンズＬ１〜Ｌ３は、前群Ｇ１を構成し、第４〜第６レンズＬ４〜Ｌ６は、後群Ｇ２を構成し、前群Ｇ１と後群Ｇ２の間には、開口絞りＳＴが配置されている。最も像側の接合レンズＣＬは、両凹レンズである第５レンズＬ５と両凸レンズである第６レンズＬ６とを接合したものである。第６レンズＬ６と固体撮像素子５１との間には、適当な厚さのフィルターＦ１が配置されている。フィルターＦ１は、光学的ローパスフィルター、ＩＲカットフィルター、固体撮像素子５１のシールガラス等を想定した平行平板である。符号Ｉは、固体撮像素子５１の被投影面である撮像面を示す。なお、符号Ｆ１，Ｉについては、以降の実施例でも同様である。
【００４４】
図２（Ｂ）〜２（Ｄ）は、実施例１の広角レンズ１０Ａの収差図（球面収差、非点収差、及び歪曲収差）を示している。
【００４５】
（実施例２）
実施例２の広角レンズの全体諸元を以下に示す。
f=0.97mm
2ω=220°
TL=12.50mm
Fno=2.00
【００４６】
実施例２の広角レンズのレンズ面のデータを以下の表４に示す。
〔表４〕
Surf. N    R(mm)      D(mm)    Nd         vd
1      12.833      1.030    1.8348     42.72
2       3.948      1.457
*3      10.354      0.600    1.5459     56.16
*4       1.575      1.930
*5      -2.513      1.389    1.6346     23.87
*6      -1.910      0.308
7ST      INF       0.130
8       7.519      1.265    1.7292     54.67
9      -2.584      0.335              
*10      -5.008      0.500    1.5459     56.16
*11       1.369      0.015    1.5140     42.83
*12       1.369      1.941    1.6346     23.87
*13      -1.915      0.903
14        INF       0.150    1.5168     64.19
15        INF       0.447
16        INF       0.000
【００４７】
実施例２のレンズ面の非球面係数を以下の表５に示す。
〔表５〕
第3面
K=8.2921E+00, A4=4.6147E-03, A6=-6.7867E-05, 
A8=-2.0875E-05, A10=-2.1899E-06, A12=4.0603E-07, 
A14=4.7696E-08, A16=-1.1343E-08, A18=4.6375E-10
第4面
K=-1.4955E+00, A4=3.4590E-02, A6=4.7498E-02, 
A8=-8.8441E-02, A10=1.0154E-01, A12=-6.2175E-02, 
A14=1.9774E-02, A16=-2.5234E-03, A18=0.0000E+00
第5面
K=1.5445E+00, A4=-3.2038E-02, A6=-1.7251E-04, 
A8=1.6777E-01, A10=-5.5512E-01, A12=8.8156E-01, 
A14=-7.4537E-01, A16=3.2446E-01, A18=-5.7103E-02
第6面
K=5.1312E-01, A4=3.6155E-02, A6=-2.9844E-02, 
A8=9.5431E-02, A10=-1.2776E-01, A12=1.0045E-01, 
A14=-4.2600E-02, A16=7.8721E-03, A18=0.0000E+00
第10面
K=-3.8031E+01, A4=1.4371E-02, A6=-1.2224E-01, 
A8=1.9407E-01, A10=-2.1780E-01, A12=1.8087E-01, 
A14=-1.0167E-01, A16=2.6901E-02, A18=0.0000E+00
第11面
K=-9.7016E-01, A4=4.6320E-01, A6=-6.3623E-01, 
A8=4.6743E-01, A10=-1.8987E-01, A12=3.6578E-02, 
A14=-3.1201E-03, A16=0.0000E+00, A18=0.0000E+00
第12面
K=-9.7016E-01, A4=4.6320E-01, A6=-6.3623E-01, 
A8=4.6743E-01, A10=-1.8987E-01, A12=3.6578E-02, 
A14=-3.1201E-03, A16=0.0000E+00, A18=0.0000E+00
第13面
K=-2.9090E+00, A4=1.7730E-02, A6=-1.3243E-01, 
A8=2.5244E-01, A10=-2.5847E-01, A12=1.4955E-01, 
A14=-4.5680E-02, A16=5.7418E-03, A18=0.0000E+00
【００４８】
実施例２のレンズ群焦点距離を以下の表６に示す。
〔表６〕
前群    -40.435mm
後群      2.930mm
【００４９】
図３（Ａ）は、実施例２の広角レンズ１０Ｂ等の断面図である。広角レンズ１０Ｂは、負のパワーを有し物体側に凸のメニスカスタイプの第１レンズＬ１と、負のパワーを有し像側に凹のメニスカスタイプの第２レンズＬ２と、正のパワーを有し像側に凸のメニスカスタイプの第３レンズＬ３と、両凸の第４レンズＬ４と、両凹の第５レンズＬ５と、両凸の第６レンズＬ６とを備える。第１〜第３レンズＬ１〜Ｌ３は、前群Ｇ１を構成し、第４〜第６レンズＬ４〜Ｌ６は、後群Ｇ２を構成し、前群Ｇ１と後群Ｇ２の間には、開口絞りＳＴが配置されている。最も像側の接合レンズＣＬは、両凹レンズである第５レンズＬ５と両凸レンズである第６レンズＬ６とを接合したものである。第６レンズＬ６と固体撮像素子５１との間には、適当な厚さのフィルターＦ１が配置されている。
【００５０】
図３（Ｂ）〜３（Ｄ）は、実施例２の広角レンズ１０Ｂの収差図（球面収差、非点収差、及び歪曲収差）を示している。
【００５１】
（実施例３）
実施例３の広角レンズの全体諸元を以下に示す。
f=0.97mm
2ω=220°
TL=12.50mm
Fno=1.90
【００５２】
実施例３の広角レンズのレンズ面のデータを以下の表７に示す。
〔表７〕
Surf. N    R(mm)      D(mm)    Nd         vd
1      12.869      1.000    1.8348     42.72
2       4.017      1.446
*3      10.283      0.600    1.5459     56.16
*4       1.590      1.957
*5      -2.476      1.399    1.6346     23.87
*6      -1.903      0.330
7ST      INF       0.130
8       7.448      1.267    1.7292     54.67
9      -2.623      0.321
*10      -5.361      0.500    1.5459     56.16
*11       1.300      0.015    1.5140     42.83
*12       1.300      1.935    1.6346     23.87
*13      -1.926      0.903
14        INF       0.150    1.5168     64.19
15        INF       0.448
16        INF       0.000
【００５３】
実施例３のレンズ面の非球面係数を以下の表８に示す。
〔表８〕
第3面
K=8.3539E+00, A4=4.4946E-03, A6=-7.8563E-05, 
A8=-2.1150E-05, A10=-2.1291E-06, A12=4.1787E-07, 
A14=4.8739E-08, A16=-1.1313E-08, A18=4.5321E-10
第4面
K=-1.5278E+00, A4=3.4118E-02, A6=5.0038E-02, 
A8=-9.2027E-02, A10=1.0117E-01, A12=-5.9380E-02, 
A14=1.8083E-02, A16=-2.2128E-03, A18=0.0000E+00
第5面
K=1.4577E+00, A4=-2.9957E-02, A6=2.5317E-03, 
A8=1.2951E-01, A10=-4.3034E-01, A12=6.7620E-01, 
A14=-5.6057E-01, A16=2.3830E-01, A18=-4.0880E-02
第6面
K=5.0516E-01, A4=3.6508E-02, A6=-3.0558E-02, 
A8=9.4879E-02, A10=-1.2652E-01, A12=1.0040E-01, 
A14=-4.3041E-02, A16=7.9334E-03, A18=0.0000E+00
第10面
K=-3.9882E+01, A4=7.8710E-03, A6=-8.9038E-02, 
A8=1.2240E-01, A10=-1.2793E-01, A12=1.1600E-01, 
A14=-7.4742E-02, A16=2.1397E-02, A18=0.0000E+00
第11面
K=-1.0965E+00, A4=4.0739E-01, A6=-5.2798E-01, 
A8=3.4595E-01, A10=-1.0842E-01, A12=8.1141E-03, 
A14=8.6200E-04, A16=0.0000E+00, A18=0.0000E+00
第12面
K=-1.0965E+00, A4=4.0739E-01, A6=-5.2798E-01, 
A8=3.4595E-01, A10=-1.0842E-01, A12=8.1141E-03, 
A14=8.6200E-04, A16=0.0000E+00, A18=0.0000E+00
第13面
K=-2.9963E+00, A4=1.6181E-02, A6=-1.2743E-01, 
A8=2.4561E-01, A10=-2.5287E-01, A12=1.4704E-01, 
A14=-4.5105E-02, A16=5.6873E-03, A18=0.0000E+00
【００５４】
実施例３のレンズ群焦点距離を以下の表９に示す。
〔表９〕
前群    -50.384mm
後群      2.924mm
【００５５】
図４（Ａ）は、実施例３の広角レンズ１０Ｃ等の断面図である。広角レンズ１０Ｃは、負のパワーを有し物体側に凸のメニスカスタイプの第１レンズＬ１と、負のパワーを有し像側に凹のメニスカスタイプの第２レンズＬ２と、正のパワーを有し像側に凸のメニスカスタイプの第３レンズＬ３と、両凸の第４レンズＬ４と、両凹の第５レンズＬ５と、両凸の第６レンズＬ６とを備える。第１〜第３レンズＬ１〜Ｌ３は、前群Ｇ１を構成し、第４〜第６レンズＬ４〜Ｌ６は、後群Ｇ２を構成し、前群Ｇ１と後群Ｇ２の間には、開口絞りＳＴが配置されている。最も像側の接合レンズＣＬは、両凹レンズである第５レンズＬ５と両凸レンズである第６レンズＬ６とを接合したものである。第６レンズＬ６と固体撮像素子５１との間には、適当な厚さのフィルターＦ１が配置されている。
【００５６】
図４（Ｂ）〜４（Ｄ）は、実施例３の広角レンズ１０Ｃの収差図（球面収差、非点収差、及び歪曲収差）を示している。
【００５７】
（実施例４）
実施例４の広角レンズの全体諸元を以下に示す。
f=0.97mm
2ω=220°
TL=12.50mm
Fno=2.10
【００５８】
実施例４の広角レンズのレンズ面のデータを以下の表１０に示す。
〔表１０〕
Surf. N    R(mm)      D(mm)    Nd         vd
1      13.020      1.000    1.8348     42.72
2       4.065      1.425
*3      10.212      0.600    1.5459     56.16
*4       1.580      1.961
*5      -2.495      1.403    1.6346     23.87
*6      -1.906      0.416
7ST      INF       0.130
8       7.879      1.169    1.7292     54.67
9      -2.631      0.343              
*10      -5.608      0.500    1.5459     56.16
*11       1.300      0.015    1.5140     42.83
*12       1.300      1.938    1.6346     23.87
*13      -1.942      0.902
14        INF       0.150    1.5168     64.19
15        INF       0.448
16        INF       0.000
【００５９】
実施例４のレンズ面の非球面係数を以下の表１１に示す。
〔表１１〕
第3面
K=8.3205E+00, A4=4.2840E-03, A6=-9.5699E-05, 
A8=-2.1284E-05, A10=-2.0307E-06, A12=4.3208E-07, 
A14=4.9965E-08, A16=-1.1285E-08, A18=4.3941E-10
第4面
K=-1.4864E+00, A4=3.7721E-02, A6=4.3935E-02, 
A8=-8.5626E-02, A10=9.6392E-02, A12=-5.7009E-02, 
A14=1.7336E-02, A16=-2.1090E-03, A18=0.0000E+00
第5面
K=1.4496E+00, A4=-1.8418E-02, A6=-6.2587E-02, 
A8=3.2141E-01, A10=-7.6547E-01, A12=1.0293E+00, 
A14=-7.8274E-01, A16=3.1555E-01, A18=-5.2372E-02
第6面
K=4.8889E-01, A4=3.5423E-02, A6=-2.6339E-02, 
A8=8.7240E-02, A10=-1.2344E-01, A12=1.0205E-01, 
A14=-4.3986E-02, A16=7.8154E-03, A18=0.0000E+00
第10面
K=-3.9510E+01, A4=6.9494E-03, A6=-1.0067E-01, 
A8=2.1598E-01, A10=-3.5052E-01, A12=3.6659E-01, 
A14=-2.1077E-01, A16=4.9524E-02, A18=0.0000E+00
第11面
K=-1.0719E+00, A4=3.9219E-01, A6=-5.3108E-01, 
A8=4.1755E-01, A10=-2.0407E-01, A12=6.0276E-02, 
A14=-9.7374E-03, A16=0.0000E+00, A18=0.0000E+00
第12面
K=-1.0719E+00, A4=3.9219E-01, A6=-5.3108E-01, 
A8=4.1755E-01, A10=-2.0407E-01, A12=6.0276E-02, 
A14=-9.7374E-03, A16=0.0000E+00, A18=0.0000E+00
第13面
K=-2.8788E+00, A4=1.2662E-02, A6=-1.1288E-01, 
A8=2.2246E-01, A10=-2.3304E-01, A12=1.3759E-01, 
A14=-4.2808E-02, A16=5.4670E-03, A18=0.0000E+00
【００６０】
実施例４のレンズ群焦点距離を以下の表１２に示す。
〔表１２〕
前群    -55.961mm
後群      2.928mm
【００６１】
図５（Ａ）は、実施例４の広角レンズ１０Ｄ等の断面図である。広角レンズ１０Ｄは、負のパワーを有し物体側に凸のメニスカスタイプの第１レンズＬ１と、負のパワーを有し像側に凹のメニスカスタイプの第２レンズＬ２と、正のパワーを有し像側に凸のメニスカスタイプの第３レンズＬ３と、両凸の第４レンズＬ４と、両凹の第５レンズＬ５と、両凸の第６レンズＬ６とを備える。第１〜第３レンズＬ１〜Ｌ３は、前群Ｇ１を構成し、第４〜第６レンズＬ４〜Ｌ６は、後群Ｇ２を構成し、前群Ｇ１と後群Ｇ２の間には、開口絞りＳＴが配置されている。最も像側の接合レンズＣＬは、両凹レンズである第５レンズＬ５と両凸レンズである第６レンズＬ６とを接合したものである。第６レンズＬ６と固体撮像素子５１との間には、適当な厚さのフィルターＦ１が配置されている。
【００６２】
図５（Ｂ）〜５（Ｄ）は、実施例４の広角レンズ１０Ｄの収差図（球面収差、非点収差、及び歪曲収差）を示している。
【００６３】
（実施例５）
実施例５の広角レンズの全体諸元を以下に示す。
f=0.98mm
2ω=220°
TL=12.36mm
Fno=2.00
【００６４】
実施例５の広角レンズのレンズ面のデータを以下の表１３に示す。
〔表１３〕
Surf. N    R(mm)      D(mm)    Nd         vd
1      12.100      1.000    1.8042     46.50
2       3.690      1.741
*3     -25.022      0.700    1.5459     56.16
*4       1.976      1.671
*5      -2.901      1.474    1.6346     23.87
*6      -1.918      0.087
7ST      INF       0.140
8       7.076      1.300    1.7292     54.67
9      -2.273      0.344
*10      -2.920      0.500    1.5459     56.16
*11       2.000      0.015    1.5140     42.83
*12       2.000      1.884    1.6346     23.87
*13      -1.922      1.103
14        INF       0.300    1.5168     64.19
15        INF       0.100
16        INF       0.000
【００６５】
実施例５のレンズ面の非球面係数を以下の表１４に示す。
〔表１４〕
第3面
K=5.0000E+01, A4=-1.1843E-02, A6=3.5567E-02, 
A8=-2.0180E-02, A10=6.4471E-03, A12=-1.2974E-03, 
A14=1.6738E-04, A16=-1.3416E-05, A18=6.0571E-07, 
A20=-1.1703E-08
第4面
K=1.7167E-01, A4=-6.8914E-03, A6=-4.6392E-02, 
A8=2.3922E-01, A10=-2.4193E-01, A12=8.6396E-02, 
A14=1.1641E-02, A16=-1.6340E-02, A18=4.0391E-03, 
A20=-3.2599E-04
第5面
K=3.8487E-01, A4=-4.1708E-02, A6=2.0932E-02, 
A8=-2.5775E-02, A10=2.1375E-02, A12=-6.6582E-03, 
A14=7.1743E-04, A16=0.0000E+00, A18=0.0000E+00, 
A20=0.0000E+00
第6面
K=9.4846E-01, A4=5.3942E-02, A6=-4.4237E-02, 
A8=1.4659E-01, A10=-1.7996E-01, A12=1.1065E-01, 
A14=-2.4442E-02, A16=0.0000E+00, A18=0.0000E+00, 
A20=0.0000E+00
第10面
K=-1.4455E+01, A4=-3.7506E-03, A6=-7.2062E-02, 
A8=6.1547E-02, A10=-2.5592E-02, A12=4.6563E-03, 
A14=0.0000E+00, A16=0.0000E+00, A18=0.0000E+00, 
A20=0.0000E+00
第11面
K=-1.8100E+00, A4=6.1146E-01, A6=-7.1245E-01, 
A8=4.2615E-01, A10=-1.3137E-01, A12=1.4413E-02, 
A14=1.8170E-04, A16=0.0000E+00, A18=0.0000E+00, 
A20=0.0000E+00
第12面
K=-1.8100E+00, A4=6.1146E-01, A6=-7.1245E-01, 
A8=4.2615E-01, A10=-1.3137E-01, A12=1.4413E-02, 
A14=1.8170E-04, A16=0.0000E+00, A18=0.0000E+00, 
A20=0.0000E+00
第13面
K=-1.7713E+01, A4=-2.1079E-01, A6=2.5018E-01, 
A8=-2.0201E-01, A10=1.0154E-01, A12=-2.7420E-02, 
A14=3.0890E-03, A16=0.0000E+00, A18=0.0000E+00, 
A20=0.0000E+00
【００６６】
実施例５のレンズ群焦点距離を以下の表１５に示す。
〔表１５〕
前群     48.859mm
後群      3.024mm
【００６７】
図６（Ａ）は、実施例５の広角レンズ１０Ｅ等の断面図である。広角レンズ１０Ｅは、負のパワーを有し物体側に凸のメニスカスタイプの第１レンズＬ１と、負のパワーを有し像側に凹のメニスカスタイプの第２レンズＬ２と、正のパワーを有し像側に凸のメニスカスタイプの第３レンズＬ３と、両凸の第４レンズＬ４と、両凹の第５レンズＬ５と、両凸の第６レンズＬ６とを備える。第１〜第３レンズＬ１〜Ｌ３は、前群Ｇ１を構成し、第４〜第６レンズＬ４〜Ｌ６は、後群Ｇ２を構成し、前群Ｇ１と後群Ｇ２の間には、開口絞りＳＴが配置されている。最も像側の接合レンズＣＬは、両凹レンズである第５レンズＬ５と両凸レンズである第６レンズＬ６とを接合したものである。第６レンズＬ６と固体撮像素子５１との間には、適当な厚さのフィルターＦ１が配置されている。
【００６８】
図６（Ｂ）〜６（Ｄ）は、実施例５の広角レンズ１０Ｅの収差図（球面収差、非点収差、及び歪曲収差）を示している。
【００６９】
（実施例６）
実施例６の広角レンズの全体諸元を以下に示す。
f=0.98mm
2ω=220°
TL=12.31mm
Fno=2.00
【００７０】
実施例６の広角レンズのレンズ面のデータを以下の表１６に示す。
〔表１６〕
Surf. N    R(mm)      D(mm)    Nd         vd
1      12.100      1.000    1.8042     46.50
2       3.690      1.746
*3     -24.411      0.700    1.5459     56.16
*4       1.975      1.668
*5      -2.787      1.427    1.6346     23.87
*6      -1.861      0.093
7ST      INF       0.140
8       7.555      1.314    1.7292     54.67
9      -2.235      0.336
*10      -2.960      0.500    1.5459     56.16
*11       2.000      0.015    1.5140     42.83
*12       2.000      1.872    1.6346     23.87
*13      -1.957      1.101
14        INF       0.300    1.5168     64.19
15        INF       0.100
16        INF       0.000
【００７１】
実施例６のレンズ面の非球面係数を以下の表１７に示す。
〔表１７〕
第3面
K=5.0000E+01, A4=-1.1205E-02, A6=3.5082E-02, 
A8=-2.0070E-02, A10=6.4498E-03, A12=-1.3033E-03, 
A14=1.6858E-04, A16=-1.3529E-05, A18=6.1097E-07, 
A20=-1.1799E-08
第4面
K=1.6680E-01, A4=-1.3385E-03, A6=-7.8650E-02, 
A8=3.2581E-01, A10=-3.7397E-01, A12=2.0211E-01, 
A14=-4.7872E-02, A16=1.1348E-03, A18=1.3473E-03, 
A20=-1.5777E-04
第5面
K=6.7043E-01, A4=-4.3363E-02, A6=2.2998E-02, 
A8=-2.9954E-02, A10=2.8619E-02, A12=-1.0566E-02, 
A14=1.3553E-03, A16=0.0000E+00, A18=0.0000E+00, 
A20=0.0000E+00
第6面
K=-1.9154E+00, A4=-3.4077E-03, A6=-2.0397E-02, 
A8=5.2293E-02, A10=-4.5854E-02, A12=1.4082E-02, 
A14=1.1180E-03, A16=0.0000E+00, A18=0.0000E+00, 
A20=0.0000E+00
第10面
K=-1.4436E+01, A4=2.7718E-03, A6=-8.4443E-02, 
A8=7.4824E-02, A10=-3.2637E-02, A12=5.9093E-03, 
A14=0.0000E+00, A16=0.0000E+00, A18=0.0000E+00, 
A20=0.0000E+00
第11面
K=-1.7548E+00, A4=6.2505E-01, A6=-7.3548E-01, 
A8=4.3838E-01, A10=-1.2974E-01, A12=1.0894E-02, 
A14=1.0075E-03, A16=0.0000E+00, A18=0.0000E+00, 
A20=0.0000E+00
第12面
K=-1.7548E+00, A4=6.2505E-01, A6=-7.3548E-01, 
A8=4.3838E-01, A10=-1.2974E-01, A12=1.0894E-02, 
A14=1.0075E-03, A16=0.0000E+00, A18=0.0000E+00, 
A20=0.0000E+00
第13面
K=-1.8836E+01, A4=-2.1234E-01, A6=2.5613E-01, 
A8=-2.0938E-01, A10=1.0641E-01, A12=-2.9009E-02, 
A14=3.2885E-03, A16=0.0000E+00, A18=0.0000E+00, 
A20=0.0000E+00
【００７２】
実施例６のレンズ群焦点距離を以下の表１８に示す。
〔表１８〕
前群     36.218mm
後群      3.023mm
【００７３】
図７（Ａ）は、実施例６の広角レンズ１０Ｆ等の断面図である。広角レンズ１０Ｆは、負のパワーを有し物体側に凸のメニスカスタイプの第１レンズＬ１と、負のパワーを有し像側に凹のメニスカスタイプの第２レンズＬ２と、正のパワーを有し像側に凸のメニスカスタイプの第３レンズＬ３と、両凸の第４レンズＬ４と、両凹の第５レンズＬ５と、両凸の第６レンズＬ６とを備える。第１〜第３レンズＬ１〜Ｌ３は、前群Ｇ１を構成し、第４〜第６レンズＬ４〜Ｌ６は、後群Ｇ２を構成し、前群Ｇ１と後群Ｇ２の間には、開口絞りＳＴが配置されている。最も像側の接合レンズＣＬは、両凹レンズである第５レンズＬ５と両凸レンズである第６レンズＬ６とを接合したものである。第６レンズＬ６と固体撮像素子５１との間には、適当な厚さのフィルターＦ１が配置されている。
【００７４】
図７（Ｂ）〜７（Ｄ）は、実施例６の広角レンズ１０Ｆの収差図（球面収差、非点収差、及び歪曲収差）を示している。
【００７５】
以下の表１９は、参考のため、各条件式（１）〜（３）に対応する各実施例１〜６の値をまとめたものである。
〔表１９〕
2019168491.tif 000004
【００７６】
以上、実施形態に即して広角レンズ等について説明したが、本発明に係る広角レンズは、上記実施形態又は実施例に限るものではなく様々な変形が可能である。例えば、前群Ｇ１を４枚構成とし正の後群Ｇ２を２枚構成とでき、或は前群Ｇ１を２枚構成とし正の後群Ｇ２を４枚構成とできる。
【００７７】
また、上記実施例において、フィルターＦ１は、車載カメラや監視カメラ等の用途における可視光又は近赤外光での撮像の際に、フィルターＦ１を２枚に分割してそれぞれ別の役割を持たせる等の構成をとることも可能である。
【符号の説明】
【００７８】
ＡＸ…光軸、  ＣＬ…接合レンズ、  Ｆ１…フィルター、  Ｇ１…前群、  Ｇ２…後群、  Ｉ…撮像面、  Ｌ１〜Ｌ６…レンズ、  ＯＰ…開口、  １０，１０Ａ〜１０Ｄ…広角レンズ、  ３０…カメラモジュール、  ４０…レンズユニット、  ４１…鏡胴、  ５０…センサー部、  ５１…固体撮像素子、  ５３…センサーホルダー、  ６０…処理部、  ６１…素子駆動部、  ６２…入力部、  ６３…記憶部、  ６４…表示部、  ６８…制御部、  １００…撮像装置
【図１】
2019168491.tif 000005
【図２】
2019168491.tif 000006
【図３】
2019168491.tif 000007
【図４】
2019168491.tif 000008
【図５】
2019168491.tif 000009
【図６】
2019168491.tif 000010
【図７】
2019168491.tif 000011